(57)【要約】【課題】工具なしで狭い場所に取り付けることができるとともに、吸着位置を調節することができるプッシュラッチを提供する。【解決手段】少なくとも一端部が開口している第一収容孔１１が形成され、第一収容孔１１の内周面に雌ネジ部１２が形成されるとともに、対象物１００に形成される取付孔１０３に嵌装されたときに対象物１００に対して相対移動不能に係合する係合部１３が形成される第一ケース部材１０と、外周面に雄ネジ部２５が形成され、雄ネジ部２５を第一ケース部材１０の雌ネジ部１２に螺合することにより第一収容孔１１に収容されるとともに、第一ケース部材１０の一端部側に開口する第二収容孔２１が形成される第二ケース部材２０と、第二収容孔２１に収容されることにより、前後方向に摺動可能に第二ケース部材２０に支持される摺動部材３０と、第二収容孔２１に収容され、摺動部材３０を前方向に付勢するバネ９０と、を具備した。【選択図】図２
2010270484.tif 000002
【特許請求の範囲】
【請求項１】
少なくとも一端部が開口している第一収容孔が形成され、前記第一収容孔の内周面に雌ネジ部が形成されるとともに、所定の対象物に形成される取付孔に嵌装されたときに前記対象物に対して相対移動不能に係合する係合部が形成される第一ケース部材と、
外周面に雄ネジ部が形成され、前記雄ネジ部を前記第一ケース部材の雌ネジ部に螺合することにより前記第一収容孔に収容されるとともに、前記第一ケース部材の一端部側に開口する第二収容孔が形成される第二ケース部材と、
前記第二収容孔に収容されることにより、前記第二収容孔の長手方向に摺動可能に前記第二ケース部材に支持される摺動部材と、
前記第二収容孔に収容され、前記摺動部材を第二収容孔の開口部分から突出する方向に付勢するバネと、
を具備し、
前記摺動部材は、
前記第二収容孔の長手方向に摺動可能に収容され、前記バネにより付勢されるとともにハートカム溝が形成される本体と、
前記本体において前記第二収容孔から突出する方の端部に配置され、前記所定の対象物の被吸着部を前記本体に磁力により吸着させるための吸着部と、
一端部が前記第二ケース部材に係止されるとともに他端部が前記ハートカム溝に係合する係合ピンと、
を備えるプッシュラッチ。
【請求項２】
前記第二ケース部材に所定の大きさ以上のトルクを加えた場合には前記第二ケース部材の回転を許容し、前記第二ケース部材に前記所定の大きさのトルクよりも小さいトルクを加えた場合には前記第二ケース部材の回転を規制する回転規制機構を具備する請求項１に記載のプッシュラッチ。
【請求項３】
前記回転規制機構は、
前記第一収容孔の内周面および第二ケース部材の外周面のいずれか一方に形成された係合凸部と、
前記第一収容孔の内周面および第二ケース部材の外周面のいずれか他方に形成された係合凹部と、
を有する請求項２に記載のプッシュラッチ。
【請求項４】
前記摺動部材は、
前記吸着部を覆うことにより前記吸着部が外気と接触することを防止する取付部材を備える請求項１から請求項３までのいずれか一項に記載のプッシュラッチ。
【請求項５】
前記第二ケース部材において前記第二収容孔が開口している側の端部であって前記第一ケース部材の外部に突出している部分の外周面には、ローレット溝が形成される請求項１から請求項４までのいずれか一項に記載のプッシュラッチ。
【請求項６】
前記摺動部材は、
前記第二ケース部材に対して相対回転不能に摺動する請求項１から請求項５までのいずれか一項に記載のプッシュラッチ。
【請求項７】
前記摺動部材の本体において前記第二収容孔に収容される部分を角型形状とし、
前記第二ケース部材に形成される第二収容孔を前記摺動部材の本体において前記第二収容孔に収容される部分に対応する角型形状とする請求項６に記載のプッシュラッチ。
【発明の詳細な説明】
【技術分野】
【０００１】
本発明は、キャビネット等の扉に対して、扉を閉じた状態および扉を開いた状態を交互に切り替えるプッシュラッチの技術に関する。
【背景技術】
【０００２】
従来、キャビネット等の扉を保持する機構が公知となっている。このような機構としては、例えば、マグネットキャッチおよびプッシュラッチ等がある。
マグネットキャッチは、磁力で扉を吸着することにより扉を閉じた状態に保持するものである。マグネットキャッチの場合、使用者が手で扉をマグネットキャッチから引き剥がす（磁力よりも大きい外力を加える）ことにより扉を開いた状態とする。
また、プッシュラッチは、磁力で扉を吸着することにより扉を閉じた状態に保持するとともに、バネ等の付勢力によって扉を開いた状態とするものである。
【０００３】
特許文献１に開示されるマグネットキャッチは、ケース本体、操作部材、および保持部材等を備える保持手段等を具備する。
ケース本体は、筒形状を有する。ケース本体は、筒軸方向の一端部に開口する。
操作部材は、筒形状を有する。操作部材は、筒軸方向の両端部に開口する。操作部材の内周面には、ネジ部が形成される。操作部材は、ケース本体に収容される。
保持手段は、保持部材、磁石、およびヨークを備える。保持部材の外周面には、操作部材と螺合可能なネジ部が形成される。保持部材は、ネジ部と操作部材のネジ部とが螺合されて、操作部材に収容される。また、保持部材の内側には、磁石およびヨークがそれぞれ固定される。このとき、ヨークは、磁石より外側に突出するように固定される。
このように構成される特許文献１に開示されたマグネットキャッチは、取付板およびネジ等の取付金具を介してキャビネット等に取り付けられる。
【０００４】
特許文献１に開示されたマグネットキャッチによれば、扉を閉じたときに、扉とマグネットキャッチのヨークとが当接する。これにより、扉を閉じた状態で保持できる。また、マグネットキャッチは、操作部材をケース本体に対して回転させることにより、ケース本体の筒軸方向に沿って操作部材を移動できる。言い換えれば、マグネットキャッチは、扉とヨークとの吸着位置を調整できる。
【０００５】
しかし、特許文献１に開示されたマグネットキャッチは、キャビネット等に取り付けるために取付板およびネジ等の取付金具を必要とする。このため、部品点数が増加するととともに、取付スペースが増大するという点で不利であった。また、マグネットキャッチの取付を行うときにマグネットキャッチの取付位置の調整を併せて行う必要があり、作業が煩雑になるという問題があった。
【０００６】
一方、特許文献２に開示されたマグネットキャッチは、キャビネット等に取付孔を形成し、かかる取付孔にマグネットキャッチを挿し込んで固定する構成である。
これによれば、別途部品を用いることなくマグネットキャッチを取り付けることができる。つまり、部品点数を減少できる。
【０００７】
しかし、特許文献１および特許文献２に開示されたマグネットキャッチでは、扉の開閉に際して、操作部材（例えば、使用者が手を引っかけるための取手等）を扉に別途取り付ける必要がある。このため、キャビネット等のデザインに制約を受ける場合がある、換言すれば、キャビネット等の美観を損なう場合があるという点で不利であった。また、部品点数が増大するという問題があった。
【０００８】
特許文献３に開示されたプッシュラッチは、外筒、内筒、スライダー、バネ、およびロータリーを具備する。
外筒の一端部は開口される。また、外筒の他端部は閉塞される。
内筒には、内筒の軸方向および周方向に沿って切り欠き形成される案内通路が形成される。内筒は、外筒に収容される。
スライダーには、外筒の開口側端部に特許文献１にあるような磁石およびヨークが取り付けられる。スライダーは、内筒に収容される。
バネは、スライダーに収容されて、スライダーを外筒の他端部に向かって付勢する。
ロータリーは、外周面に案内通路を摺動可能な突起部が形成される。ロータリーは、外筒に収容されて、スライダーの端部に連結される。このとき、ロータリーは、内筒の案内通路に係止される。
【０００９】
特許文献３に開示されたプッシュラッチによれば、プッシュラッチと当接した状態の扉を操作する（押し付ける動作を行う）ことによって、ロータリーの突起部が案内通路を摺動する。これにより、ケーシングに収容されるスライダーの位置を切り替えることができる。つまり、扉を押し付ける動作を行うことによって扉の開閉の両方の動作を行うことが可能であり、使用者が手を引っかけるための取手等を必要としないのでキャビネット等のデザインに制約を受けることがない。そのため、キャビネット等の美観の向上に寄与する（デザインの自由度が大きくなる）。
【００１０】
しかし、特許文献３に開示されたプッシュラッチでは、ヨークと扉との吸着位置を調節することができないという点で不利であった。
また、外筒および内筒にネジ部を形成することにより、吸着位置を調節するように構成した場合には、繰り返し扉を押し付ける動作を行ううちにヨークがケーシングに対して徐々に相対回転し、意図しない形でヨークの位置がずれる場合があった。
【先行技術文献】
【特許文献】
【００１１】
【特許文献１】特許第３７６３９５５号公報
【特許文献２】登録実用新案第３０１０７４８号公報
【特許文献３】特開平８−３０３０９２号公報
【発明の概要】
【発明が解決しようとする課題】
【００１２】
本発明は、以上の如き状況を鑑みてなされたものであり、工具なしで狭い場所に取り付けることができるとともに、吸着位置を調節することができるプッシュラッチを提供するものである。
【課題を解決するための手段】
【００１３】
請求項１においては、少なくとも一端部が開口している第一収容孔が形成され、前記第一収容孔の内周面に雌ネジ部が形成されるとともに、所定の対象物に形成される取付孔に嵌装されたときに前記対象物に対して相対移動不能に係合する係合部が形成される第一ケース部材と、外周面に雄ネジ部が形成され、前記雄ネジ部を前記第一ケース部材の雌ネジ部に螺合することにより前記第一収容孔に収容されるとともに、前記第一ケース部材の一端部側に開口する第二収容孔が形成される第二ケース部材と、前記第二収容孔に収容されることにより、前記第二収容孔の長手方向に摺動可能に前記第二ケース部材に支持される摺動部材と、前記第二収容孔に収容され、前記摺動部材を第二収容孔の開口部分から突出する方向に付勢するバネと、を具備し、前記摺動部材は、前記第二収容孔の長手方向に摺動可能に収容され、前記バネにより付勢されるとともにハートカム溝が形成される本体と、前記本体において前記第二収容孔から突出する方の端部に配置され、前記所定の対象物の被吸着部を前記本体に磁力により吸着させるための吸着部と、一端部が前記第二ケース部材に係止されるとともに他端部が前記ハートカム溝に係合する係合ピンと、を備えるものである。
【００１４】
請求項２においては、前記第二ケース部材に所定の大きさ以上のトルクを加えた場合には前記第二ケース部材の回転を許容し、前記第二ケース部材に前記所定の大きさのトルクよりも小さいトルクを加えた場合には前記第二ケース部材の回転を規制する回転規制機構を具備するものである。
【００１５】
請求項３においては、前記回転規制機構は、前記第一収容孔の内周面および第二ケース部材の外周面のいずれか一方に形成された係合凸部と、前記第一収容孔の内周面および第二ケース部材の外周面のいずれか他方に形成された係合凹部と、を有するものである。
【００１６】
請求項４においては、前記摺動部材は、前記吸着部を覆うことにより前記吸着部が外気と接触することを防止する取付部材を備えるものである。
【００１７】
請求項５においては、前記第二ケース部材において前記第二収容孔が開口している側の端部であって前記第一ケース部材の外部に突出している部分の外周面には、ローレット溝が形成されるものである。
【００１８】
請求項６においては、前記摺動部材は、前記第二ケース部材に対して相対回転不能に摺動するものである。
【００１９】
請求項７においては、前記摺動部材の本体において前記第二収容孔に収容される部分を角型形状とし、前記第二ケース部材に形成される第二収容孔を前記摺動部材の本体において前記第二収容孔に収容される部分に対応する角型形状とするものである。
【発明の効果】
【００２０】
本発明の効果として、以下に示すような効果を奏する。
すなわち、本発明によれば、工具なしで狭い場所に取り付けることができるとともに、吸着位置を調節することができる。
【図面の簡単な説明】
【００２１】
【図１】本実施形態に係るプッシュラッチを示す斜視図。
【図２】扉を閉じた状態を示す平面断面図。
【図３】図２における矢視Ａ−Ａ部分断面図。（ａ）第一ケース部材を示す断面図。（ｂ）第二ケース部材を示す断面図。
【図４】摺動部材の本体を示す斜視図。
【図５】扉を押し付ける動作を行った状態を示す平面断面図。
【図６】扉を開いた状態を示す平面断面図。
【図７】プッシュラッチの吸着位置を調節した状態を示す平面断面図。
【図８】ハートカム溝を摺動する係合ピンを示す説明図。（ａ）ロック地点に係合された状態示す図。（ｂ）第一切替地点に係合された状態を示す図。（ｃ）オープン地点に係合された状態示す図。（ｄ）第二切替地点に係合された状態を示す図。
【図９】取付部材を取り付けた状態を示す平面断面図。
【発明を実施するための形態】
【００２２】
以下に、本発明に係るプッシュラッチの実施の一形態であるプッシュラッチ１について、図面を参照して説明する。
【００２３】
図１および図２に示す如く、プッシュラッチ１は、扉１０１を備える所定の対象物１００に取り付けられる。
図６に示す如く、プッシュラッチ１は扉１０１を対象物１００に押し付ける動作を行うことによって扉１０１を閉じた状態（図１および図２参照）および開いた状態（図６参照）を交互に切り替えるものである。このようなプッシュラッチ１が取り付けられる対象物１００としては、例えば、洗面台に設置されるキャビネット（洗顔用具、歯磨き用具、化粧品等を収納する棚および鏡を備える調度品）等がある。
【００２４】
図１および図２に示す如く、プッシュラッチ１は、第一ケース部材１０、第二ケース部材２０、摺動部材３０、およびバネ９０を具備する。
プッシュラッチ１は、摺動部材３０およびバネ９０を第二ケース部材２０に収容し、第二ケース部材２０を第一ケース部材１０に収容するという一連の作業によって組み立てられる。
【００２５】
なお、以下では便宜上、図２における紙面の上下方向を基準として「プッシュラッチ１の左方」および「プッシュラッチ１の右方」を規定する。また、図２における紙面の左右方向を基準として「プッシュラッチ１の後方」および「プッシュラッチ１の前方」を定義する。そして、図２における紙面に対して垂直方向において、手前側に向かう方向を基準として「プッシュラッチ１の上方」、奥側に向かう方向を基準として「プッシュラッチ１の下方」を定義する。
【００２６】
以下では、第一ケース部材１０について説明する。
図１および図２に示す如く、第一ケース部材１０は、プッシュラッチ１を構成する部材のうち、対象物１００に直接固定されるものである。第一ケース部材１０は一対の端面および外周面を有する略円柱形状の部材である。
図２および図３（ａ）に示す如く、第一ケース部材１０には第一ケース部材１０の一対の端面を貫通する第一収容孔１１が形成される。
【００２７】
また、第一ケース部材１０では、第一収容孔１１の内周面の後部に雌ネジ部１２が形成される。雌ネジ部１２には、二つの係合凸部１２ａ・１２ａが形成される。
【００２８】
二つの係合凸部１２ａ・１２ａは、それぞれ雌ネジ部１２より第一ケース部材１０の径方向の内側に向かって突出するように形成される。本実施形態の二つの係合凸部１２ａ・１２ａはいずれも第一収容孔１１の長手方向（本実施形態では、前後方向）に伸びた形状を有する突起（凸条）であり、第一収容孔１１の内周面において周方向に所定の間隔を隔てて形成される。
【００２９】
図１および図２に示す如く、係合部１３は、フランジ部１３ａと二つの突起部１３ｂ・１３ｂとを有する。
フランジ部１３ａは、第一ケース部材１０の外径より大きな外径を有する略円環状に形成される。フランジ部１３ａは、第一ケース部材１０の前端部に形成される。
二つの突起部１３ｂ・１３ｂは、それぞれ第一ケース部材１０の外周面の左側および右側に形成される突起であり、いずれもフランジ部１３ａに対して第一ケース部材１０の長手方向（本実施形態では、前後方向）において所定の間隔を隔てた位置（第一ケース部材１０の長手方向（前後方向）から見て互いに９０°位相がずれた位置）に配置される。二つの突起部１３ｂ・１３ｂの形状は平面視では前端部が第一ケース部材１０の径方向外側に向かって突出する略直角三角形状であり、側面視では（左側面視または右側面視では）略Ｕ字状である。
【００３０】
以下では、第二ケース部材２０について説明する。
第二ケース部材２０は、後で詳述する摺動部材３０およびバネ９０を収容するものである。第二ケース部材２０は、略円柱形状を有する。
第二ケース部材２０には、第二収容孔２１が形成される。第二収容孔２１の前端部は、二ケース部材２０の軸心位置で第二ケース部材２０の長手方向（本実施形態では、前後方向）に沿って大きく開口する。また、第二収容孔２１の後端部は、第二ケース部材２０の軸心位置からずれた位置で略円弧状に小さく開口する（図３（ｂ）参照）。
第二ケース部材２０は、頭部２２および胴体部２４を備える。
【００３１】
頭部２２は、第二ケース部材２０の前端部（すなわち、第二ケース部材２０において第二収容孔２１が開口している側の端部）であって第二ケース部材２０が第一ケース部材１０の第一収容孔１１に収容されたときに第一ケース部材１０の外部に突出する部分である。本実施形態の頭部２２の形状は略円環状であり、頭部２２の外径は後述する胴体部２４の外径および第一収容孔１１の内径よりも大きい。
【００３２】
頭部２２の外周面にはローレット溝２３が形成される。
ローレット溝２３は、前後方向に沿って並んで形成される複数の溝である。ローレット溝２３は、第二ケース部材２０の軸心を基準として、略等間隔に切り欠いた形状を有する。
【００３３】
胴体部２４は、第二ケース部材２０の主たる構造体を成す部分であり、第一収容孔１１に収容される。胴体部２４は、雄ネジ部２５、突出部２６、ピン係止孔２７、およびバネ係止部２８を有する。
【００３４】
雄ネジ部２５は胴体部２４（ひいては、第二ケース部材２０）の外周面に形成される。雄ネジ部２５が第一ケース部材１０の雌ネジ部１２と螺合することにより、胴体部２４（ひいては、第二ケース部材２０）が第一収容孔１１に収容され、第一ケース部材１０に支持される。
図３（ｂ）に示す如く、雄ネジ部２５には、四つの係合凹部１２ｂ・１２ｂ・１２ｂ・１２ｂが形成される。
【００３５】
四つの係合凹部１２ｂ・１２ｂ・１２ｂ・１２ｂは、雄ネジ部２５のネジ山を横切る形で第二ケース部材２０の外周面上に形成される窪み（溝）である。四つの係合凹部１２ｂ・１２ｂ・１２ｂ・１２ｂは第二ケース部材２０の長手方向（本実施形態では、前後方向）に伸びた形状を有する。四つの係合凹部１２ｂ・１２ｂ・１２ｂ・１２ｂは等間隔を空けて（第二ケース部材２０の長手方向（前後方向）から見て、９０°ずつ位相がずれた位置に）配置される。
図２および図３に示す如く、第二ケース部材２０の雄ネジ部２５が第一ケース部材１０の雄ネジ部２５と螺合しているとき、第二ケース部材２０が第一ケース部材１０に対して９０°回転する毎に二つの係合凸部１２ａ・１２ａが四つの係合凹部１２ｂ・１２ｂ・１２ｂ・１２ｂのうちのいずれか（隣り合う）二つの係合凹部１２ｂ・１２ｂに係合した（嵌った）状態となる。
【００３６】
二つの係合凸部１２ａ・１２ａおよび四つの係合凹部１２ｂ・１２ｂ・１２ｂ・１２ｂを合わせたものは、本発明に係る回転規制機構の実施の一形態である。
すなわち、本実施形態では第一ケース部材１０および第二ケース部材２０がいずれも弾性変形し得る材料（樹脂材料）からなるため、第二ケース部材２０に所定の大きさ以上の回転力（トルク）を加えた場合には第一ケース部材１０および第二ケース部材２０が弾性変形し、二つの係合凸部１２ａ・１２ａが四つの係合凹部１２ｂ・１２ｂ・１２ｂ・１２ｂのうちのいずれか二つの係合凹部１２ｂ・１２ｂに係合した状態が解除される。言い換えれば、第一ケース部材１０に対する第二ケース部材２０の回転が許容される。
また、第二ケース部材２０に所定の大きさの回転力（トルク）よりも小さい回転力を加えた場合には二つの係合凸部１２ａ・１２ａが四つの係合凹部１２ｂ・１２ｂ・１２ｂ・１２ｂのうちのいずれか二つの係合凹部１２ｂ・１２ｂに係合した状態が保持され、第一ケース部材１０に対する第二ケース部材２０の回転が規制される。
【００３７】
図１および図２に示す如く、突出部２６は、胴体部２４の後端部から更に後方に突出するように形成される部分である。図２に示す如く、突出部２６は、第二収容孔２１の後端部側の開口部分（図３（ｂ）に示す略円弧状に小さく開口する部分）を塞がないような形状に形成される。
【００３８】
ピン係止孔２７は、突出部２６の左側面に開口する孔である。
【００３９】
バネ係止部２８は第二収容孔２１の内部に形成される突起である。本実施形態のバネ係止部２８は胴体部２４の右後端部から前方に向かって突出した形状を有する。
【００４０】
図３（ｂ）に示す如く、第二ケース部材２０の第二収容孔２１の内周面には四つのガイド溝２１ａ・２１ａ・２１ａ・２１ａが形成される。四つのガイド溝２１ａ・２１ａ・２１ａ・２１ａはいずれも第二ケース部材２０の長手方向（前後方向）に伸びた溝であり、第二ケース部材２０の長手方向（前後方向）から見て円弧状に窪んだ形状を有する。
【００４１】
以下では、摺動部材３０について説明する。
図１および図２に示す如く、摺動部材３０は、第二ケース部材２０の第二収容孔２１に収容されることにより、第二収容孔２１の長手方向（本実施形態では、前後方向）に摺動可能に第二ケース部材２０に支持される部材である。
図２に示す如く、摺動部材３０は、本体４０、磁石５０、二つの吸着片６０・６０、係合ピン７０、および脱落防止リング８０を備える。
【００４２】
本体４０は摺動部材３０の主たる構造体を成す部材である。本体４０は、頭部４１および胴体部４２を有する。
【００４３】
図２および図４に示す如く、頭部４１は本体４０の前端部を成す略円環形状の部分である。図２に示す如く、頭部４１の外径は第二収容孔２１の内径より大きい。また、頭部４１は、摺動部材３０が第二収容孔２１に収容されたときに、第二ケース部材２０の外部（本実施形態では、前方）に突出する部分である。
【００４４】
図４に示す如く、胴体部４２は本体４０のうち頭部４１よりも後側の部分を成す部分であり、頭部４１の後端部に延設される部材である。胴体部４２は前後方向に伸びた形状を有し、胴体部４２の外径は第二収容孔２１の内径よりもやや小さい。胴体部４２は本体４０において第二収容孔２１に摺動可能に収容される部分となる。
胴体部４２の外周面には四つのガイド突起部２１ｂ・２１ｂ・２１ｂ・２１ｂが形成される。四つのガイド突起部２１ｂ・２１ｂ・２１ｂ・２１ｂはいずれも胴体部４２の長手方向（本実施形態では、前後方向）に伸びた形状の突起（凸条）であり、第二ケース部材２０の第二収容孔２１の内周面に形成された四つのガイド溝２１ａ・２１ａ・２１ａ・２１ａ（図３（ｂ）参照）にそれぞれ係合する。四つのガイド突起部２１ｂ・２１ｂ・２１ｂ・２１ｂが四つのガイド溝２１ａ・２１ａ・２１ａ・２１ａ（図３（ｂ）参照）にそれぞれ係合することにより、胴体部４２（ひいては摺動部材３０）が第二ケース部材２０に対して前後方向に摺動することが許容されるとともに、胴体部４２（ひいては摺動部材３０）が第二ケース部材２０に対して前後方向の軸を中心に相対回転することが規制される（相対回転することができない）。
【００４５】
本体４０の前部にはガイド孔４３が形成される。ガイド孔４３は後で詳述する磁石５０および二つの吸着片６０・６０を収容するための孔である。
ガイド孔４３は頭部４１の前端面に開口する孔である。ガイド孔４３は頭部４１を前後方向に貫通し、さらに胴体部４２の前後略中央部まで到達する。ガイド孔４３は本体４０の軸線方向（本実施形態では、前後方向）から見て略長方形状の孔であり、本体４０の軸心位置に配置される。
【００４６】
胴体部４２には一対の貫通孔４４・４４が形成される。一対の貫通孔４４・４４は後述する二つの吸着片６０・６０を係止するための孔である。
上側の貫通孔４４は胴体部４２の上面とガイド孔４３とを連通し、下側の貫通孔４４は胴体部４２の下面とガイド孔４３とを連通する。
【００４７】
図２および図４に示す如く、胴体部４２の右後部には切欠部４５が形成される。切欠部４５は後述するバネ９０を収容するスペースを形成するとともに、胴体部４２（本体４０）においてバネ９０に当接する部分を成す。
【００４８】
図４に示す如く、ハートカム溝４６は、本体４０の左側面後部に形成される溝である。ハートカム溝４６は、左側面視で略ハート状である（図８参照）。また、ハートカム溝４６の底部には複数の段差部が形成される。ハートカム溝４６の詳細については後述する。
【００４９】
図１および図２に示す如く、本実施形態の磁石５０は直方体形状の永久磁石である。磁石５０を構成する永久磁石の種類は特に限定されず、既存の永久磁石により達成することが可能である。
【００５０】
二つの吸着片６０・６０は、それぞれ略板状に形成される。二つの吸着片６０・６０の前端部は、それぞれ板面に対して垂直に折り曲げられる。また、二つの吸着片６０・６０には、それぞれ前端部が折り曲げられる方向と反対の面に略円環状の突起部が形成される。このような二つの吸着片６０・６０は、適宜の金属材料によって構成される。
【００５１】
磁石５０は、二つの吸着片６０・６０に固定される。より詳細には、磁石５０は、二つの吸着片６０・６０に上下方向より挟まれた状態で相対移動不能に固定される。かかる二つの吸着片６０・６０は、それぞれ突起部を一対の貫通孔４４・４４（図４参照）に嵌め込まれることで、本体４０に対して相対移動不能に固定される。このとき、二つの吸着片６０・６０の前端部は、それぞれ本体４０の頭部４１より前方向に突出する。
【００５２】
図２に示す如く、係合ピン７０は、略円柱状に形成される。係合ピン７０の軸線方向（本実施形態では、前後方向）の両端部は、それぞれ係合ピン７０の軸線方向（前後方向）に対して垂直に折り曲げられる。係合ピン７０の折り曲げられる後端部は、係止端部７１となる。また、係合ピン７０の折り曲げられる前端部は、摺動端部７２となる。
係合ピン７０の係止端部７１は、第二収容孔２１の後端部より外部に突出させて、ピン係止孔２７に係止される。一方、係合ピン７０の摺動端部７２は、ハートカム溝４６に係合する。このとき、図２および図８に示す如く、係合ピン７０の後端部は、ハートカム溝４６を摺動可能となる。
【００５３】
図２に示す如く、脱落防止リング８０は、略棒状の部材を螺旋状に折り曲げて形成される。脱落防止リング８０は、第二ケース部材２０の突出部２６および係合ピン７０に巻回される。これにより、脱落防止リング８０は、係合ピン７０が第二ケース部材２０および摺動部材３０より脱落することを防止する。
【００５４】
以下では、バネ９０について説明する。
バネ９０は、摺動部材３０を後方向より前方向に向かう方向（第二収容孔２１の開口部分から突出する方向）に付勢するものである。バネ９０は、例えば、バネ鋼からなる丸棒を螺旋状に成形することにより得られる圧縮コイルバネ等によって構成される。バネ９０は、後端部が第二ケース部材２０のバネ係止部２８に係止されるとともに、前端部が本体４０の切欠部４５の前端部に当接する。すなわち、バネ９０は、摺動部材３０の本体４０を後方向より前方向に向かう方向に付勢する。
【００５５】
以下では、摺動部材３０の摺動について説明する。
図２および図５に示す如く、摺動部材３０は、第二収容孔２１より外部に突出する部分（例えば、本体４０の頭部４１および二つの吸着片６０・６０の前端部等）を前方向より後方向に向かう方向に押し付ける動作を行ったときに、前方向より後方向に向かう方向に摺動する。そして、摺動部材３０は、図２に示すような第二収容孔２１に引き込まれる状態および図６に示すような第二収容孔２１より突出する状態を交互に切り替える。このような切替は、ハートカム溝４６を係合ピン７０の摺動端部７２が摺動することによって行われる。
【００５６】
図４および図８に示す如く、ハートカム溝４６は、ロック地点４６ａ、第一切替地点４６ｂ、規制地点４６ｃ、オープン地点４６ｄ、および第二切替地点４６ｅを通るような連続した溝である。
【００５７】
図４および図８（ａ）に示す如く、ロック地点４６ａは、ハートカム溝４６の前部の地点である。ロック地点４６ａにおいてハートカム溝４６の後側部は、後部に窪むような略円弧状に形成される。すなわち、係合ピン７０の摺動端部７２は、ハートカム溝４６のロック地点４６ａまで摺動したときに、ハートカム溝４６に係合する。
このように、ロック地点４６ａに係合ピン７０の摺動端部７２が係合されているとき、摺動部材３０は、図２に示すような第二収容孔２１に引き込まれた状態となる。
【００５８】
図４および図８（ｂ）に示す如く、第一切替地点４６ｂは、ロック地点４６ａの下前部の地点である。第一切替地点４６ｂにおいてハートカム溝４６の底部には、係合ピン７０の摺動端部７２がロック地点４６ａに向かって摺動できないような段差部が形成される。すなわち、係合ピン７０の摺動端部７２は、ロック地点４６ａより第一切替地点４６ｂに向かって摺動可能となるとともに、第一切替地点４６ｂよりロック地点４６ａに向かって摺動不能となる。
これによれば、図５および図８（ｂ）に示す如く、第二収容孔２１に引き込まれた状態の摺動部材３０を前方向より後方向に向かう方向に押し付ける動作を行ったとき、係合ピン７０の摺動端部７２は、第一切替地点４６ｂに向かって摺動する。
【００５９】
図４および図８（ｃ）に示す如く、規制地点４６ｃは、第一切替地点４６ｂの後方の地点である。規制地点４６ｃにおいてハートカム溝４６の底部には、係合ピン７０の摺動端部７２が第一切替地点４６ｂに向かって摺動できないような段差部が形成される。すなわち、係合ピン７０の摺動端部７２は、第一切替地点４６ｂより規制地点４６ｃに向かって摺動可能となるとともに、規制地点４６ｃより第一切替地点４６ｂに向かって摺動不能となる。
すなわち、図８（ｃ）に示す如く、第一切替地点４６ｂまで摺動した係合ピン７０の摺動端部７２は、摺動部材３０を押し付ける動作を行った後、バネ９０の付勢力によって、規制地点４６ｃに向かって摺動する。
【００６０】
図４および図８（ｃ）に示す如く、オープン地点４６ｄは、ハートカム溝４６の後端部の地点である。オープン地点４６ｄにおいてハートカム溝４６の後側部は、下後部に窪むような略円弧状に形成される。
すなわち、規制地点４６ｃまで摺動した係合ピン７０の摺動端部７２は、バネ９０の付勢力によって、オープン地点４６ｄに向かって摺動する。そして、係合ピン７０の摺動端部７２は、ハートカム溝４６のオープン地点４６ｄまで摺動したときに、ハートカム溝４６に係合する。このように、オープン地点４６ｄに係合ピン７０の摺動端部７２が係合されているとき、摺動部材３０は、図６に示すような第二収容孔２１より突出した状態となる。
【００６１】
図４および図８（ｄ）に示す如く、第二切替地点４６ｅは、ハートカム溝４６の上前端部の地点である。第二切替地点４６ｅにおいてハートカム溝４６の底部には、係合ピン７０の摺動端部７２がオープン地点４６ｄに向かって摺動できないような段差部が形成される。すなわち、係合ピン７０の摺動端部７２は、オープン地点４６ｄより第二切替地点４６ｅに向かって摺動可能となるとともに、第二切替地点４６ｅよりオープン地点４６ｄに向かって摺動不能となる。
すなわち、図５および図８（ｄ）に示す如く、第二収容孔２１より突出した状態の摺動部材３０を前方向より後方向に向かう方向に押し付ける動作を行ったとき、係合ピン７０の摺動端部７２は、第二切替地点４６ｅに向かって摺動する。
【００６２】
また、ロック地点４６ａにおいてハートカム溝４６の底部には、係合ピン７０の摺動端部７２が第二切替地点４６ｅに向かって摺動できないような段差部が形成される。すなわち、係合ピン７０の摺動端部７２は、第二切替地点４６ｅよりロック地点４６ａに向かって摺動可能となるとともに、ロック地点４６ａより第二切替地点４６ｅに向かって摺動不能となる。
すなわち、第二切替地点４６ｅまで摺動した係合ピン７０の摺動端部７２は、摺動部材３０を押し付ける動作を行った後、バネ９０の付勢力によって、ロック地点４６ａに向かって摺動する。そして、係合ピン７０の摺動端部７２は、ハートカム溝４６のオープン地点４６ｄまで摺動したときに、ハートカム溝４６に係合する。このように、オープン地点４６ｄに係合ピン７０の摺動端部７２が係合されているとき、摺動部材３０は、図２に示すような第二収容孔２１に引き込まれた状態となる。
【００６３】
図８に示す如く、係合ピン７０の摺動端部７２は、ロック地点４６ａ、第一切替地点４６ｂ、規制地点４６ｃ、オープン地点４６ｄ、第二切替地点４６ｅの順に摺動する。これにより、摺動部材３０は、図２に示すような第二収容孔２１に引き込まれる状態および図６に示すような第二収容孔２１より突出する状態を交互に切り替えることができる。
また、係合ピン７０の摺動端部７２が摺動したとき、係合ピン７０は、係止端部７１を回動中心として、上下方向に摺動する。すなわち、第二収容孔２１の後端部側の開口部分は、係合ピン７０の摺動端部７２が摺動したときに、かかる摺動に干渉しない程度に開口する。
【００６４】
以下では、プッシュラッチ１の取付について説明する。
図２に示す如く、プッシュラッチ１は、第一ケース部材１０を対象物１００の取付孔１０３に嵌装することにより、対象物１００に取り付けられる。このとき、第一ケース部材１０は、フランジ部１３ａの後面と対象物１００の前面とが当接するまで挿入される。第一ケース部材１０の二つの突起部１３ｂ・１３ｂは、対象物１００の取付孔１０３の内径を大きくするように対象物１００を弾性変形される。そして、第一ケース部材１０の二つの突起部１３ｂ・１３ｂが対象物１００に挿入されたとき、換言すれば、第一ケース部材１０の二つの突起部１３ｂ・１３ｂが対象物１００の内側に配置されたとき、フランジ部１３ａの後面と対象物１００の前面とが当接する。
これにより、対象物１００の取付孔１０３と第一ケース部材１０の二つの突起部１３ｂ・１３ｂとが係合するため、第一ケース部材１０は、対象物１００の取付孔１０３に対して前後方向に相対移動不能に取り付けられる。言い換えれば、係合部１３は、第一ケース部材１０を対象物１００の取付孔１０３に嵌装したときに、プッシュラッチ１を対象物１００に対して相対移動不能に係止する。
【００６５】
これによれば、工具を用いることなくプッシュラッチ１を対象物１００の取付孔１０３に取り付けることができる。また、プッシュラッチ１の取付に際して、別途ネジ等の部材を用いることなくプッシュラッチ１を取り付けることができるため、プッシュラッチ１を狭い場所に取り付けることができる。
【００６６】
また、第一ケース部材１０の係合部１３の構成は、本実施形態に限定されるものでない。係合部１３は、プッシュラッチ１を対象物１００の取付孔１０３に嵌装したときにプッシュラッチ１を対象物１００に対して相対移動不能に係止できる構成であればよい。すなわち、係合部１３は、フランジ部１３ａ、溝部、および突起部を形成する構成であっても構わない。かかる溝部は、第一ケース部材１０の外周面に形成される。また、突起部は、第一ケース部材１０の径方向内側に押し付けられたときに、溝部に嵌まるように形成される。
この場合、第一ケース部材１０を対象物１００の取付孔１０３に挿入するときに、突起部は、弾性変形して、溝部に収容される。そして、フランジ部１３ａの後面と対象物１００の前面とが当接したときに、突起部が溝部より突出する。これにより、プッシュラッチ１を対象物１００に対して相対移動不能に取り付けることができる。
【００６７】
また、第一ケース部材１０の係合部１３は、第一ケース部材１０の外周面に複数の溝を形成する構成であっても構わない。この場合、対象物１００の取付孔１０３の内径を、第一ケース部材１０の外径よりやや小さくすることにより、第一ケース部材１０は、対象物１００の取付孔１０３に嵌装したとき、対象物１００の取付孔１０３と複数の溝との間に発生する摩擦力が大きくなる。このため、プッシュラッチ１を対象物１００に対して相対移動不能に取り付けることができる。
【００６８】
以下では、扉１０１の開閉動作について説明する。
図２に示す如く、対象物１００の扉１０１には、扉１０１を閉じたときにプッシュラッチ１と接触する位置に、磁力によって吸着される被吸着部１０２が形成される。
プッシュラッチ１と扉１０１とが接触したとき、プッシュラッチ１は、扉１０１の被吸着部１０２を磁力により吸着する。これにより、プッシュラッチ１は、扉１０１を閉じた状態で保持する。すなわち、係合ピン７０の摺動端部７２は、図８（ａ）に示す如く、ロック地点４６ａに係合される。
【００６９】
このとき、扉１０１の被吸着部１０２は、二つの吸着片６０・６０と接触する。言い換えれば、磁石５０は、二つの吸着片６０・６０を介して、扉１０１の被吸着部１０２を吸着する。これによれば、磁石５０と扉１０１の被吸着部１０２とが直接接触した際に、その衝撃によって、磁石５０が破損することを防止できる。
このように、本実施形態の磁石５０および二つの吸着片６０・６０を含む構成は、本発明に係る所定の対象物に形成される被吸着部を本体に磁力により吸着させるための吸着部として機能する。
【００７０】
図２に示すような閉じた状態の扉１０１を対象物１００に押し付ける動作を行った場合、図５に示す如く、摺動部材３０は、第二収容孔２１の内部へ引き込まれる方向（後方）に摺動する。すなわち、係合ピン７０の摺動端部７２は、図８（ｂ）に示す如く、第一切替地点４６ｂに摺動する。
【００７１】
図５に示すような扉１０１を対象物１００に押し付ける動作を行った後、図６に示す如く、摺動部材３０は、バネ９０の付勢力によって摺動部材３０が外部へ突出する方向（前方）に勢いよく摺動する。すなわち、係合ピン７０の摺動端部７２は、図８（ｃ）に示す如く、オープン地点４６ｄに係合される。これにより、プッシュラッチ１は、扉１０１を閉じた状態から扉１０１を開いた状態に切り替える。つまり、扉１０１を閉じた状態は、摺動部材３０が第二収容孔２１に引き込まれた状態に対応する。
【００７２】
図６に示すような開いた状態の扉１０１を対象物１００に押し付ける動作を行った場合、図５に示す如く、摺動部材３０は、第二収容孔２１の内部へ引き込まれる方向（後方）へ摺動する。すなわち、係合ピン７０の摺動端部７２は、図８（ｄ）に示す如く、第二切替地点４６ｅに摺動する。
【００７３】
図５に示すような、扉１０１を対象物１００に押し付ける動作を行った後、図２に示す如く、摺動部材３０は、バネ９０の付勢力によって摺動部材３０が外部へ突出する方向（前方）に摺動する。このとき、係合ピン７０の摺動端部７２は、図８（ａ）に示す如く、ロック地点４６ａに係合される。このとき、第二切替地点４６ｅからロック地点４６ａまでの距離が短いため、摺動部材３０は、扉１０１を吸着した状態で、その摺動が係止される。これにより、プッシュラッチ１は、扉１０１を開いた状態から扉１０１を閉じた状態に切り替える。つまり、扉１０１を開いた状態は、摺動部材３０が第二収容孔２１より突出する状態に対応する。
【００７４】
以下では、摺動部材３０の二つの吸着片６０・６０と扉１０１の被吸着部１０１との吸着位置（以下、「吸着位置」いう）の調節について説明する。
前述のように、第二ケース部材２０は、雄ネジ部２５が第一ケース部材１０の雌ネジ部１２と螺合することによって、第一収容孔１１に収容される。すなわち、図２および図７に示す如く、第二ケース部材２０は、頭部２２を第一ケース部材１０に対して回転させることによって、第一ケース部材１０の長手方向（前後方向）に沿って移動する。このとき、摺動部材３０は、第二ケース部材２０の回転にともなって回転する。つまり、摺動部材３０は、第二ケース部材２０の移動にともなって移動する（第二収容孔２１の長手方向（前後方向）に摺動する）。これにより、プッシュラッチ１は吸着位置を調節できる。
【００７５】
ここで、第二ケース部材２０は、前述のように、所定の大きさ以上の回転力を加えたときに、第一ケース部材１０に対する第二ケース部材２０の回転が許容される構成である。
このため、繰り返し扉１０１を対象物１００に対して押し付ける動作を行ううちに、第二ケース部材２０が第一ケース部材１０に対して徐々に相対回転し、意図しない形で二つの吸着片６０・６０の位置がずれることを防止できる。
【００７６】
なお、回転規制機構は、二つの係合凸部１２ａ・１２ａおよび四つの係合凹部１２ｂ・１２ｂ・１２ｂ・１２ｂによって構成したが、これに限定されるものでない。すなわち、回転規制機構は、繰り返し扉１０１を対象物１００に対して押し付ける動作を行ううちに、第二ケース部材２０が第一ケース部材１０に対して徐々に相対回転しない程度に、第一ケース部材１０に対する第二ケース部材２０の回転を規制する構成であればよい。つまり、回転規制機構は、雌ネジ部１２のネジ山を横切る形で第一ケース部材１０の内周面上に窪み（溝）が形成されるとともに、第二ケース部材２０の外周面上に第二収容孔２１の長手方向（前後方向）に伸びた形状を有する突起（凸条）が形成される構成であっても構わない。
【００７７】
第二ケース部材２０の頭部２２には、ローレット溝２３が形成されているため、第二ケース部材２０の頭部２２の外周面が扁平な面である場合と比較して、第二ケース部材２０を回転させやすい構成となる。つまり、本実施形態のプッシュラッチ１は、吸着位置を容易に調整可能な構成となる。
【００７８】
なお、ローレット溝２３の形状は特に限定されるものでない。すなわち、ローレット溝２３は、第二ケース部材２０の頭部２２を回転しやすくなるような形状であればよく、例えば、第二ケース部材２０の長手方向（前後方向）に対して所定の角度傾斜するような溝であっても構わない。
【００７９】
また、本体４０は、前述のように、摺動部材３０が第二ケース部材２０に対して前後方向に摺動することが許容されるとともに、摺動部材３０が第二ケース部材２０に対して前後方向の軸を中心に相対回転することが規制される構成である。すなわち、第二ケース部材２０は、摺動部材３０の本体４０の回転にともなって相対回転することが規制される構成である。
このため、プッシュラッチ１は、摺動部材３０の第二収容孔２１より突出する端部（例えば、本体４０の頭部４１等）を回転させることによって、吸着位置を調節できる。
【００８０】
なお、本実施形態において、摺動部材３０を第二ケース部材２０に対して相対回転することを規制する構成は、四つのガイド溝２１ａ・２１ａ・２１ａ・２１ａおよび四つのガイド突起部２１ｂ・２１ｂ・２１ｂ・２１ｂとしたが、これに限定されるものでない。すなわち、かかる構成は、摺動部材３０の本体４０の胴体部４２の形状を角型形状とし、第二収容孔２１を摺動部材３０の本体４０の胴体部４２の形状に対応する角型形状としても構わない。このような、角型形状としては、例えば、四角形および六角形等がある。
【００８１】
また、プッシュラッチ１は、図９に示す如く、摺動部材３０に吸着部（本実施形態では、磁石５０および二つの吸着片６０・６０）を覆う取付部材６３を備える構成であっても構わない。取付部材６３は、本体４０の頭部４１より本体４０の軸線方向（前後方向）に沿って外側に突出するように、本体４０の頭部４１に取り付けられる。
【００８２】
このような取付部材６３を取り付けた場合、吸着部（磁石５０および二つの吸着片６０・６０）は外気と接触しない。このため外気によって吸着部（磁石５０および二つの吸着片６０・６０）が錆び易い環境、例えば、湿度が高い環境に設置される対象物１００にプッシュラッチ１を取り付けた場合において、プッシュラッチ１の吸着部（磁石５０および二つの吸着片６０・６０）が錆びることを防止できる。このような対象物１００としては、例えば、洗面台に設置されるキャビネット等がある。また、吸着部（磁石５０および二つの吸着片６０・６０）が扉１０１の被吸着部１０２と直接当接しないため、プッシュラッチ１は、摺動部材３０の耐久性を向上できる。
【００８３】
なお、取付部材６３は、本体４０の頭部４１より外側に向かって突出する突起部を形成することによって、本体４０に一体的に形成するような構成であっても構わない。
また、本実施形態の取付部材６３は、本体４０の頭部４１に取り付ける構成であったが、これに限定されるものでない。すなわち、取付部材６３は、吸着部（磁石５０および二つの吸着片６０・６０）が外気と接触することを防止できればよく、例えば、第二ケース部材２０の頭部２２に取り付ける構成であっても構わない。
【００８４】
また、取付部材６３を取り付けた場合において、扉１０１の被吸着部１０２は、取付部材６３と接触する。すなわち、プッシュラッチ１は、磁石５０と扉１０１の被吸着部１０２とが直接接触しない構成となる。このような場合においては、プッシュラッチ１は、二つの吸着片６０・６０を備えない構成であっても構わない。この場合、磁石５０および取付部材６３を含む構成が、本発明に係る吸着部として機能する。
【００８５】
このように、プッシュラッチ１は、少なくとも一端部が開口している第一収容孔１１が形成され、第一収容孔１１の内周面に雌ネジ部１２が形成されるとともに、対象物１００に形成される取付孔１０３に嵌装されたときに対象物１００に対して相対移動不能に係合する係合部１３が形成される第一ケース部材１０と、外周面に雄ネジ部２５が形成され、雄ネジ部２５を第一ケース部材１０の雌ネジ部１２に螺合することにより第一収容孔１１に収容されるとともに、第一ケース部材１０の一端部側に開口する第二収容孔２１が形成される第二ケース部材２０と、第二収容孔２１に収容されることにより、第二収容孔２１の長手方向（前後方向）に摺動可能に第二ケース部材２０に支持される摺動部材３０と、第二収容孔２１に収容され、摺動部材３０を第二収容孔２１の開口部分から突出する方向（後方向より前方向に向かう方向）に付勢するバネ９０と、を具備し、摺動部材３０は、第二収容孔２１の長手方向（前後方向）に摺動可能に収容され、バネ９０により付勢されるとともにハートカム溝４６が形成される本体４０と、本体４０において第二収容孔２１から突出する方の端部（頭部４１）に配置され、対象物１００（扉１０１）の被吸着部１０２を本体４０に磁力により吸着させるための吸着部（磁石５０および二つの吸着片６０・６０）と、一端部（係止端部７１）が第二ケース部材２０に係止されるとともに他端部（摺動端部７２）がハートカム溝４６に係合する係合ピン７０と、を備えるものである。
【００８６】
このように構成することにより、工具を用いることなく対象物１００にプッシュラッチ１を取り付けることができる。また、ネジ等の取付金具を用いてプッシュラッチ１を取り付ける場合と比較して、狭い場所に取り付けることができる。さらに、プッシュラッチ１と対象物１００が備える扉１０１との吸着位置を調節できる。
【００８７】
このように、プッシュラッチ１は、第二ケース部材２０に所定の大きさ以上のトルクを加えた場合には第二ケース部材２０の回転を許容し、第二ケース部材２０に所定の大きさのトルクよりも小さいトルクを加えた場合には第二ケース部材２０の回転を規制する回転規制機構を具備するものである。
また、回転規制機構は、第一収容孔１１の内周面および第二ケース部材２０の外周面のいずれか一方に形成された二つの係合凸部１２ａ・１２ａと、第一収容孔１１の内周面および第二ケース部材２０の外周面のいずれか他方に形成された四つの係合凹部１２ｂ・１２ｂ・１２ｂ・１２ｂと、を有するものである。
【００８８】
このように構成することにより、繰り返し扉１０１を対象物１００に対して押し付ける動作を行ううちに、二つの吸着片６０・６０の向きがずれることを防止できる。つまり、プッシュラッチ１を適用した対象物１００の美観を向上できる。
【００８９】
このように、摺動部材３０は、吸着部（磁石５０および二つの吸着片６０・６０）を覆うことにより吸着部が外気と接触することを防止する取付部材６３を備えるものである。
【００９０】
このように構成することにより、外気によって吸着部（磁石５０および二つの吸着片６０・６０）が錆び易い環境に設置される対象物１００にプッシュラッチ１を適用できる。また、摺動部材３０の耐久性を向上できる。つまり、プッシュラッチ１の耐久性を向上できる。
【００９１】
このように、プッシュラッチ１は、第二ケース部材２０において第二収容孔２１が開口している側の端部（前端部）であって第一ケース部材１０の外部に突出している部分（頭部２２）の外周面には、ローレット溝２３が形成されるものである。
【００９２】
このように構成することにより、プッシュラッチ１の吸着位置を容易に調節できる。
【００９３】
このように、摺動部材３０は、第二ケース部材２０に対して相対回転不能に摺動するものである。
また、プッシュラッチ１は、摺動部材３０の本体４０において第二収容孔２１に収容される部分を角型形状とし、第二ケース部材２０に形成される第二収容孔２１を摺動部材３０の本体４０において第二収容孔２１に収容される部分に対応する角型形状とするものである。
【００９４】
このように構成することにより、摺動部材３０を回転させることによって、プッシュラッチ１の吸着位置を調節できる。
【００９５】
なお、第一ケース部材１０の第一収容孔１１は、第一ケース部材１０の両端部が開口される形状であったが、これに限定されるものでない。すなわち、第一ケース部材１０の第一収容孔１１は、第二ケース部材２０を収容可能であればよく、例えば、前端部が開口されるとともに、後端部が閉塞される形状であっても構わない。
【００９６】
また、第二ケース部材２０の第二収容孔２１は、第二ケース部材２０の両端部が開口されることによって形成したが、これに限定されるものでない。すなわち、第二ケース部材２０は、第二収容孔２１に摺動部材３０を収容可能であればよく、例えば、第二ケース部材２０の前端部が開口されるとともに、後端部が閉塞される形状であっても構わない。
【００９７】
また、摺動部材３０のガイド孔４３は、本体４０の前端部が開口されることによって形成したが、これに限定されるものでない。すなわち、摺動部材３０のガイド孔４３は、本体４０に二つの吸着片６０・６０を取付可能であるとともに、本体４０にハートカム溝４６を形成可能であればよく、例えば、摺動部材３０の本体４０の両端部が開口される形状であっても構わない。
【００９８】
また、本実施形態において、ハートカム溝４６および係合ピン７０によって摺動部材３０の摺動を係止する構成としたが、これに限定されるものでない。すなわち、摺動部材３０の摺動を係止する構成は、二つの吸着片６０・６０の向きおよび吸着位置等がずれないような適宜の構成であればよい。
【符号の説明】
【００９９】
１      プッシュラッチ
１０    第一ケース部材
１１    第一収容孔
１２    雌ネジ部
１２ａ  係合凸部
１２ｂ  係合凹部
１３    係合部
２０    第二ケース部材
２１    第二収容孔
２５    雄ネジ部
３０    摺動部材
４６    ハートカム溝
７０    係合ピン
７１    係止端部
７２    摺動端部
９０    バネ
１００  対象物
１０２  被吸着部
１０３  取付孔
【図１】
2010270484.tif 000003
【図２】
2010270484.tif 000004
【図３】
2010270484.tif 000005
【図４】
2010270484.tif 000006
【図５】
2010270484.tif 000007
【図６】
2010270484.tif 000008
【図７】
2010270484.tif 000009
【図８】
2010270484.tif 000010
【図９】
2010270484.tif 000011